(57)【要約】  実施形態は、物品上または物品内に組み込まれているサーモグラフィ蛍光体（例えば、Ｅｒ：ＹＩＧ）を識別するための方法および装置を含む。方法および装置の実施形態は、サーモグラフィ蛍光体の吸収帯内の励起エネルギに物品を選択的にさらす励起エネルギジェネレータを含む。放出された放射検出器は、物品が第１の温度を有するときに、サーモグラフィ蛍光体の放出帯内で、物品からの第１の放出された放射の第１の放出特性を検出し、物品が第１の温度とは異なる第２の温度を有するときに、放出帯内で、物品からの第２の放出された放射の第２の放出特性を検出するように構成される。温度調節要素は、物品の温度を調節するように構成される。実施形態は、第１の放出特性が第２の放出特性から十分に異なるかどうかを決定する処理システムをさらに含む。
2015505111.tif 000002
【特許請求の範囲】
【請求項１】
物品上に、または前記物品内に組み込まれた発光材料を識別するための方法であって、
前記物品を前記発光材料の吸収帯内の励起エネルギに選択的にさらすステップと、
前記物品が第１の温度を有するときに、前記発光材料の放出帯内で、前記物品からの第１の放出された放射の第１の放出特性を検出するステップと、
前記物品が前記第１の温度とは異なる第２の温度を有するときに、前記放出帯内で、前記物品からの第２の放出された放射の第２の放出特性を検出するステップと、
前記第１の放出特性が前記第２の放出特性から十分に異なるかどうかを決定するステップと
を含む方法。
【請求項２】
前記物品を前記励起エネルギに選択的にさらすステップが、
前記第１の温度を有する前記物品の部分と一致する前記物品の前記部分を、第１の時間期間の間、前記励起エネルギに第１にさらすステップと、
前記第１の放出特性を検出するステップの前に、前記第１にさらすステップを停止するステップと、
前記第２の温度を有する前記物品の前記部分と一致する前記物品の前記部分を、第２の時間期間の間、前記励起エネルギに第２にさらすステップと、
前記第２の放出特性を検出するステップの前に、前記第２にさらすステップを停止するステップと
を含む、請求項１に記載の方法。
【請求項３】
前記第１の温度および前記第２の温度のうちの少なくとも１つが、温度調節要素の能動的な制御を介して達成される温度であり、
前記温度調節要素を能動的に制御して、前記第１の温度および前記第２の温度のうちの前記少なくとも１つに到達するステップ
をさらに含む、請求項１に記載の方法。
【請求項４】
前記第１の温度と前記第２の温度が、摂氏約±５度から摂氏約±１５度の範囲の温度差で、互いと異なっている、請求項１に記載の方法。
【請求項５】
前記第１の放出特性が前記第２の放出特性から十分に異なるかどうかを決定するステップが、前記第１の温度と前記第２の温度の間で１度の差毎に、前記第１の放出された放射の第１の強度が、前記第２の放出された放射の第２の強度から少なくとも約１パーセント異なるかどうかを決定するステップを含む、請求項１に記載の方法。
【請求項６】
前記第１の放出特性が前記第２の放出特性から十分に異なるかどうかを決定するステップが、前記第１および前記第２の放出された放射（３４４）の強度が温度に対して反比例関係を呈するかどうかを決定するステップを含む、請求項１に記載の方法。
【請求項７】
前記第１の放出特性が前記第２の放出特性から十分に異なるかどうかを決定するステップが、前記第１および前記第２の放出された放射（３４４）の減衰時定数が、温度に対して反比例関係を呈するかどうかを決定するステップを含む、請求項１に記載の方法。
【請求項８】
前記吸収帯が鉄の吸収帯であり、前記放出帯がエルビウムの放出帯である、請求項１に記載の方法。
【請求項９】
温度調節要素（３１４）に近接した物品（１００）の温度を調節するように構成される、温度調節要素（３１４）と、
前記物品（１００）に励起エネルギ（３４２）を提供するように構成される励起エネルギジェネレータ（３０４）であって、前記励起エネルギ（３４２）が、前記物品（１００）が本物であるときに存在することが期待される発光材料の吸収帯に対応する、励起エネルギジェネレータ（３０４）と、
前記物品（１００）が第１の温度を有するときに、前記発光材料の放出帯内で、第１の放出された放射（３４４）の第１の放出特性を検出し、
前記物品（１００）が前記第１の温度とは異なる第２の温度を有するときに、前記放出帯内で、第２の放出された放射（３４４）の第２の放出特性を検出する
ように構成される、放出された放射検出器（３０６）と、
前記第１の放出特性が前記第２の放出特性から十分に異なるかどうかを決定するように構成される処理システム（３０２）と
を備える装置。
【請求項１０】
媒体と、
前記媒体内に分散されたサーモグラフィ蛍光体の粒子（１３０）と
を含む、認証の特徴（１１０、１２０）
を備える物品（１００）。
【発明の詳細な説明】
【技術分野】
【０００１】
優先権主張
[0001]本出願は、２０１２年１月１７日に出願された、米国特許仮出願第６１／５８７，４２７号の利益を主張する。
【０００２】
[0001]本発明は、一般的に、放射線放出化合物ならびにセキュリティ材料としてそれらを使用するための方法および装置に関する。
【背景技術】
【０００３】
[0002]発光蛍光体化合物は、外部エネルギ源による化合物の励起の際に、赤外、可視、および／または紫外スペクトルで、検知可能な量の放射線を放出することができる化合物である。典型的な発光蛍光体化合物は、少なくとも母材（例えば、結晶格子）、（例えば、希土類金属の）放出イオン、および場合によって、（例えば、エネルギを吸収し、エネルギを放出する希土類金属イオンに伝達することができる、遷移金属または異なる希土類金属の）「増感」イオンを含む。蛍光体化合物による放射線の生成は、放出イオン（複数可）または母材および増感イオン（複数可）のいずれかもしくは両方により入射放射線を吸収することと、その後に続く、母材／増感イオン（複数可）から放出イオン（複数可）にエネルギを伝達すること、放出イオン（複数可）により伝達されたエネルギを放射することによって達成される。
【０００４】
[0003]蛍光体化合物の選ばれた構成要素が、化合物の励起エネルギに関する特定の波長、および蛍光体化合物の放出イオンにより放出されるより高いスペクトルエネルギ出力に関する特定のスペクトル位置（複数可）（「放出」）を含む、特定の放出特性を化合物に持たせることができる。しかし、全ての母材内のあらゆるイオンが放出を生ずるわけではない。放出のためのポテンシャルを有する放射が消失する例、または吸収イオンもしくは母材から放出イオンへのエネルギ伝達が乏しいので、放射作用がほとんど観察できない例といった多くの例がある。他の母材では、放射作用が非常に大きく、量子効率が「１」に近い場合がある。
【０００５】
[0004]観察できる放出を生ずる特定の蛍光体化合物について、その放出中の、より高いスペクトルエネルギ成分（または、発光出力）のスペクトル位置（複数可）（すなわち、その「スペクトル的特徴」）を使用して、蛍光体化合物を他の化合物から一意に識別することができる。主に、スペクトル的特徴は、希土類イオン（複数可）に起因する。しかし、様々な放出イオンへの母材の影響に起因して、典型的には結晶場強度および結晶場分裂を介して、スペクトル的摂動が存在する場合がある。このことは、放出の時間的な挙動についても同様に当てはまる。
【０００６】
[0005]いくつかの蛍光体化合物の一意のスペクトル特性が、蛍光体化合物を、特定の価値または重要性を持つ物品（例えば、銀行紙幣、パスポート、生体試料など）の認証または識別で使用するのに、好適にする。したがって、知られているスペクトル的特徴を有する発光蛍光体化合物は、様々なタイプの物品上に、または様々なタイプの物品内に組み込まれて、そのような物品の偽造物または偽の複製物を検知する能力を高め、または物品を識別して追尾してきた。例えば、発光蛍光体化合物は、物体を認証または追尾するプロセスで分析されうる、添加物、被覆物、および印刷または他の塗布された特徴の形で、様々なタイプの物品上に、または様々なタイプの物品内に組み込まれてきた。
【０００７】
[0006]発光蛍光体化合物を含む物品は、特別に設計された認証機器を使用して認証されうる。より具体的には、製造業者は、その「本物の」物品内に、知られている蛍光体化合物（例えば、「認証」蛍光体化合物）を組み込むことができる。そのような物品の信ぴょう性を検出するように構成される認証機器は、認証蛍光体化合物に関連する、吸収可能な励起エネルギの波長および放出のスペクトル特性の知識（例えば、記憶される情報および／または様々なスペクトルフィルタ）を有することになる。認証用の試料物が提供されると、認証機器は、発光蛍光体化合物の吸収特徴を持つ知られた波長に対応する波長を有する励起エネルギに物品をさらし、このことによって、直接的または間接的に所望の放出がもたらされる。認証機器は、物品により生成されうる任意の放出についてのスペクトルパラメータを、検知して特徴づける。検知された放出のスペクトル信号が、認証蛍光体化合物に対応する検出装置の（「検出パラメータ空間」と呼ばれる）認証パラメータ範囲内であるとき、物品は本物であると考えられうる。逆に、認証機器が検出パラメータ空間内に期待される信号を検知することができないとき、物品は、本物でない（例えば、偽造されたまたは偽の物品）と考えられうる。
【発明の概要】
【発明が解決しようとする課題】
【０００８】
[0007]上記の技法は、比較的高度でない偽造物および偽の行為を検出して阻止することに、大いに効果的である。しかし、適切な資源および機器を有する個人は、いくつかの蛍光体化合物の構成要素を決定するために、分光分析技法を採用することができる場合がある。次いで、蛍光体化合物が再生されて、本物でない物品とともに使用され、したがって、さもなければ特定の蛍光体化合物により提供されうる、認証の利益を脅かす可能性がある。したがって、いくつかの蛍光体化合物が開発され、上記のやり方で物品の認証を容易にしてきたが、偽造物および偽の行為をより困難にすることができ、かつ／または特に関心のある物品を識別し追尾するため、有利であることを証明することができる、さらなる化合物、そのような化合物を物品とともに使用する一意のやり方、および物品を認証するための技法を開発することが望ましい。さらに、本発明の他の望ましい特徴および特性は、添付図面およびこの発明の背景技術と一緒に行えば、本発明の以下の詳細な説明および添付される請求項から明らかとなるであろう。
【課題を解決するための手段】
【０００９】
[0008]物品上に、または物品内に組み込まれた発光材料を識別するための方法の実施形態は、物品を発光材料の吸収帯内の励起エネルギに選択的にさらすステップと、物品が第１の温度を有するときに、発光材料の放出帯内で、物品からの第１の放出された放射の第１の放出特性を検出するステップと、物品が第１の温度とは異なる第２の温度を有するときに、放出帯内で、物品からの第２の放出された放射の第２の放出特性を検出するステップとを含む。方法の実施形態は、第１の放出特性が第２の放出特性から十分に異なるかどうかを決定するステップをさらに含む。
【００１０】
[0009]装置の実施形態は、温度調節要素、励起エネルギジェネレータ、放出された放射検出器、および処理システムを含む。温度調節要素は、温度調節要素に近接した物品の温度を調節するように構成される。励起エネルギジェネレータは、物品に励起エネルギを提供するように構成され、励起エネルギは、物品が本物であるときに存在することが期待される発光材料の吸収帯に対応する。放出された放射検出器は、物品が第１の温度を有するときに、発光材料の放出帯内で、第１の放出された放射の第１の放出特性を検出し、物品が第１の温度とは異なる第２の温度を有するときに、放出帯内で、第２の放出された放射の第２の放出特性を検出するように構成される。処理システムは、第１の放出特性が第２の放出特性から十分に異なるかどうかを決定するように構成される。
【００１１】
[0010]物品の実施形態は、媒体と、媒体内に分散されたサーモグラフィ蛍光体の粒子とを含む、セキュリティの特徴を含む。サーモグラフィ蛍光体は、少なくとも１つの放出イオンの原子が置換されている、母体の結晶格子を含む。実施形態では、母体の結晶格子は、化学成分Ｙ３Ｆｅ５Ｏ１２を有するイットリウム鉄ガーネット（ＹＩＧ）であり、上式で、Ｙはイットリウム、Ｆｅは鉄、Ｏは酸素であり、少なくとも１つの放出イオンは、置換パーセントで母体の結晶格子内に置換されるエルビウムイオンを含む。
【００１２】
[0011]本発明の実施形態は、以降で、以下の図面とともに記載されることになり、図面中では、同様の番号は同様の要素を表す。
【図面の簡単な説明】
【００１３】
【図１】[0012]例示的な実施形態にしたがった、基板およびサーモグラフィ蛍光体を含む認証の特徴を含む物品の垂直断面図である。
【図２】[0013]例示的な実施形態にしたがった、サーモグラフィ蛍光体を含む物品を製造する方法の流れ図である。
【図３】[0014]例示的な実施形態にしたがった、物品を認証するためのシステムの略図である。
【図４】[0015]例示的な実施形態にしたがった、物品の認証を実施する方法の流れ図である。
【図５】[0016]いくつかの例示的な実施形態にしたがった、温度に対する複数のサーモグラフィ蛍光体試料の放出強度を示すグラフである。
【図６】[0017]例示的な実施形態にしたがった、温度に対するサーモグラフィ蛍光体試料のスペクトル放出特性を示す図である。
【図７】[0018]いくつかの例示的な実施形態にしたがった、温度に対する複数のサーモグラフィ蛍光体試料の減衰時定数を示すグラフである。
【発明を実施するための形態】
【００１４】
[0019]本発明の様々な実施形態の以下の詳細な説明は、本質的に単なる例示であり、発明の主題または発明の主題の応用および使用を制限する意図はない。さらに、上述の背景技術または以下の詳細な説明に提示されるいかなる理論にも拘束される意図はない。
【００１５】
[0020]下で詳細に議論される実施形態は、サーモグラフィ蛍光体を含む物品、そのような物品を製造するための方法、ならびに物品認証に関連してサーモグラフィ蛍光体を検出および識別するための方法を含む。下に記載されるサーモグラフィ蛍光体を含む物品を認証するための方法および装置は、認証に使用されうる利用可能な材料の多様性を増加させる。本明細書で議論されるサーモグラフィ蛍光体の実施形態からの放出を特徴づけるスペクトル的特徴および減衰時定数は、認証のために測定可能な量として使用されうる。
【００１６】
[0021]本明細書で使用する、用語「サーモグラフィ蛍光体」とは、著しく熱依存性の放出強度および／または著しく熱依存性の減衰時定数を有する、発光材料を意味する。「著しく熱依存性」とは、それが発光材料の放出強度および／または減衰時定数に関連するときに、発光材料が、サーモグラフィ蛍光体の温度に対して、放出強度および／または減衰時定数に検出可能な差異を呈する（例えば、本明細書で図３とともに記述される認証装置などの認証装置によって変化が検出可能である）ことを意味する。
【００１７】
[0022]図１は、例示的な実施形態にしたがった、基板１０２および１つまたは複数のサーモグラフィ蛍光体を含む物品１００の垂直断面図を図示する。例えば、物品１００の実施形態は、サーモグラフィ蛍光体粒子（認証の特徴１１０、１２０内には図示されない）を含む、表面に塗布される、かつ／または埋め込まれる認証の特徴１１０、１２０を含むことができ、かつ／または物品１００は、物品１００の１つまたは複数の構成要素内に（例えば、基板１０２および／または物品の１つもしくは複数の層または他の構成要素内に）均一または不均一に分散されたサーモグラフィ蛍光体粒子１３０を含むことができる。物品１００は、表面に塗布される、かつ／または埋め込まれる認証の特徴１１０、１２０および粒子１３０の両方を含むように示されるが、他の物品は、埋め込まれる認証の特徴、表面に塗布される認証の特徴、基板に分散されるサーモグラフィ蛍光体粒子、および／または物品１００の１つまたは複数の層（図示せず）内に分散されるサーモグラフィ蛍光体粒子のうちの１つまたはこれらの組合せを含むことができる。最後に、ただ１つの表面に塗布される認証の特徴１１０および１つの埋め込まれる認証の特徴１２０が図１に示されているが、物品は、１よりも多くの、いずれかのタイプの認証の特徴１１０、１２０を含むことができる。認証の特徴１１０、１２０、および粒子１３０の様々な相対的な寸法は、図１では原寸に比例していない。
【００１８】
[0023]様々な実施形態では、物品１００は、限定するものではないが、識別カード、運転免許証、パスポート、身元証明書、有価文書（例えば、銀行紙幣、小切手、文書、書類、株券など）、包装構成要素、クレジットカード、銀行カード、ラベル、シール、（例えば、ギャンブルで使用する、かつ／またはゲームまたは自動販売機で使用する）トークン、切手、液体、人間、動物、および生体試料を含むグループから選択された任意のタイプの物品であってよい。基板１０２は、様々なタイプの基板のいずれかであってよく、限定するものではないが、紙、ポリマ、ガラス、金属、織物、および繊維を含むグループから選択された１つまたは複数の材料を含む。無生物で固体の物品が本明細書では議論されているが、「物品」とは、その上にまたはその中に実施形態のサーモグラフィ蛍光体が含まれうる任意の他の対象物または材料をほぼ含むことができることを理解されたい。
【００１９】
[0024]基板１０２は、様々な実施形態で、剛性または可撓性であってよく、１つまたは複数の層または構成要素から形成されうる。様々な実施形態のサーモグラフィ蛍光体は、異なるタイプの物品の膨大な配列とともに使用されうるので、基板１０２の構成の多様性が多すぎるので、本明細書で記載することができない。したがって、図１では、簡単な単体基板１０２が示されているが、基板１０２は、様々な異なる構成のいずれかを有しうることが理解されよう。例えば、基板は、同一または異なる材料の複数の層またはセクションを含む、「複合」基板であってよい。例えば、限定としてではなく、基板は、積層される、あるいは一緒に結合される、１つもしくは複数の紙の層もしくはセクション、および１つもしくは複数のプラスチックの層もしくはセクションを含み、複合基板（例えば、紙の層／プラスチックの層／紙の層、またはプラスチックの層／紙の層／プラスチックの層の複合基板）を形成することができる。
【００２０】
[0025]表面に塗布される認証の特徴１１０は、例えば、限定としてではなく、その中にまたはその上に実施形態のサーモグラフィ蛍光体が含まれる、印刷された認証の特徴、または１つもしくは複数の剛性もしくは可撓性の材料を含む認証の特徴であってよい。例えば、限定としてではなく、表面に塗布される認証の特徴１１０は、実施形態のサーモグラフィ蛍光体の粒子を含む、インク、顔料、コーティング、または塗料を含むことができる。あるいは、表面に塗布される認証の特徴１１０は、その中にまたはその上に実施形態のサーモグラフィ蛍光体の粒子が含まれる、１つまたは複数の剛性または可撓性の材料を含むことができ、ここで、次いで基板が、物品の基板１０２の表面に付着あるいは取り付けられる。様々な実施形態によれば、表面に塗布される認証の特徴１１０は、約１ミクロン以上の厚さ１１２を有することができ、表面に塗布される認証の特徴１１０は、基板１０２の幅および長さ以下である幅および長さを有することができる。
【００２１】
[0026]埋め込まれる認証の特徴１２０は、その中にまたはその上に実施形態のサーモグラフィ蛍光体が含まれる、１つまたは複数の剛性または可撓性の材料を含む。例えば、限定としてではなく、埋め込まれる認証の特徴１２０は、個別の、剛性または可撓性の基板、セキュリティスレッド、または別のタイプの構造の形で構成されうる。様々な実施形態によれば、埋め込まれる認証の特徴１２０は、約１ミクロンから基板１０２の厚さ１０４までの範囲の厚さ１２２を有することができ、埋め込まれる認証の特徴１２０は、基板１０２の幅および長さ以下である幅および長さを有することができる。
【００２２】
[0027]前述のように、サーモグラフィ蛍光体粒子１３０は、図１に示されるように、基板１０２（もしくは基板１０２の部分）内、または他の実施形態における、物品１００の１つもしくは複数の他の構成要素内（例えば、物品の１つもしくは複数の層または他の構成要素内）に、均一または不均一に分散されうる。以前に議論したように、サーモグラフィ蛍光体粒子１３０は、例えば限定としてではなく、基板１０２または他の構成要素用の基材内に粒子１３０を混合すること、および／または粒子１３０のコロイド分散で基板１０２または他の構成要素を含浸することにより、基板１０２または他の構成要素内に分散されうる。
【００２３】
[0028]実施形態によれば、サーモグラフィ蛍光体粒子１３０が形成されるサーモグラフィ蛍光体は、母体の結晶格子、および母体の結晶格子の結晶学的部位内に置換される１つまたは複数の放出イオンを含む。放出イオン（複数可）は、放出イオン（複数可）の吸収帯（複数可）内の励起エネルギを受け取ると、検出可能な放射を生成することができる。放出イオン（複数可）は、複数のメカニズムのうちの１つまたは複数を介して、以降の放射のためにエネルギを受け取ることができる。例えば、放出イオンは、放出イオンの吸収帯内の励起エネルギを直接吸収可能であってよく、放出イオンは、その後、吸収したエネルギの少なくとも一部を（典型的には、励起エネルギとは異なる、より長い波長で）放射することができる。あるいは、下に記載されるように、放出イオンが、母体の結晶格子から、かつ／または母体の結晶格子の結晶学的部位内に置換される１つまたは複数の他のイオンから励起エネルギを間接的に吸収することが可能であってよい。
【００２４】
[0029]例えば、いくつかの実施形態では、母体の結晶格子が励起エネルギを吸収し、そのエネルギの一部を放出イオン（複数可）（および／または１つまたは複数の増感またはカスケードイオン（複数可））に伝達することができる。加えて、様々な実施形態では、サーモグラフィ蛍光体は、母体の結晶格子の結晶学的部位内に置換される、１つまたは複数の増感イオンおよび／またはカスケードイオンも含むことができる。各増感イオンは、含まれている場合、増感イオンの吸収帯内の励起エネルギを吸収することができ、そのエネルギの少なくとも一部を放出イオン（複数可）および／またはカスケードイオン（複数可）に伝達することができる。各カスケードイオンは、含まれている場合、増感イオン（複数可）から励起エネルギを吸収することができ、そのエネルギの少なくとも一部を放出イオン（複数可）に伝達することができる。「吸収イオン」とは、適切な励起エネルギを吸収すること、その後吸収したエネルギの一部を放射すること、および／またはエネルギの一部を別のイオンに（例えば、最終的には放出イオンに）伝達することができる、サーモグラフィ蛍光体のイオンのことを言う。様々な実施形態では、放出イオン、増感イオン、および／またはカスケードイオンは、吸収イオンであると考えることができる。本明細書で使用する、「適切な励起エネルギ」とは、サーモグラフィ蛍光体の吸収イオンの吸収帯に対応する波長の範囲を有する励起エネルギのことを言う。
【００２５】
[0030]上に記載されるように、母体の結晶格子は、放出イオン（複数可）（および、含まれている場合には、増感およびカスケードイオン（複数可））が組み込まれている（すなわち、母体の結晶格子の１つまたは複数の置換可能な要素を置換されている）材料を含む。より具体的には、母体の結晶格子は、異なる化学成分が、格子内の様々な結晶学的位置または部位で置換することができる結晶格子である。本明細書で使用する、用語「置換可能な要素」とは、結晶格子内の特定の部位を占有する母体の結晶格子の要素のことを言い、別の要素（例えば、放出、増感、および／またはカスケードイオン）が、サーモグラフィ蛍光体の形成の期間に、これらの部位内に置換されうる。放出、増感、またはカスケードイオンとの交換を可能にする、母体の結晶格子の各原子は、それが交換されることになるイオンと、同様のサイズ、同様の装荷、および同様の配位選好を有する。サーモグラフィ蛍光体の形成の期間に、母体の結晶格子内の各位置における原子は、原子パーセントにより説明されることになる。
【００２６】
[0031]実施形態によれば、母体の結晶格子は、エルビウム（Ｅｒ）イオンが置換された、イットリウム鉄ガーネット（ＹＩＧ）である。この組合せは、本明細書では、Ｅｒ：ＹＩＧと呼ばれる。ＹＩＧは、化学成分Ｙ３Ｆｅ５Ｏ１２を有し、上式で、Ｙはイットリウム、Ｆｅは鉄、Ｏは酸素である。イットリウムは、置換要素として機能し、エルビウムは、（本明細書では、原子パーセントで記載される）特定の置換パーセントでイットリウムの部位の一部に置換される。実施形態によれば、サーモグラフィ蛍光体は、約０．５原子パーセントから約５０原子パーセントの範囲の置換パーセンテージでエルビウムが置換されたＹＩＧを含むが、エルビウムは、この範囲よりも高いまたはこの範囲よりも低い置換パーセンテージで同様に置換されうる。本質的に、エルビウムは、検出可能な放出を生ずるのに十分高く、放出の完全な濃度消光を回避するのに十分低い、任意のパーセンテージで置換されうる。
【００２７】
[0032]下に、記載では、母体の結晶格子の例としてＹＩＧ、様々なサーモグラフィ蛍光体の実施形態で使用する好適な放出イオンの例としてエルビウムを主に使用するが、ＹＩＧ以外の母体の結晶格子および／またはエルビウム以外の放出イオンも使用される場合があり、そのような代替実施形態は、本発明の主題の範囲内であると考えられることを理解されたい。例えば、エルビウム置換されたＹＩＧ／ＹＡＧ母体の結晶格子（例えば、ＹＡＧ構成要素が材料の約３０パーセント未満）は、様々な他の母体の結晶格子および／または放出イオンとともに、好適なサーモグラフィ蛍光体となる可能性がある。より具体的には、温度に対して、放出強度および／または減衰時定数で検出可能な変化を呈する任意のサーモグラフィ蛍光体は、様々な実施形態の使用に好適となる可能性がある。
【００２８】
[0033]適切な励起エネルギが実施形態のサーモグラフィ蛍光体に向けられると、励起エネルギがサーモグラフィ蛍光体内の１つまたは複数の「吸収体」により吸収され、サーモグラフィ蛍光体内の放出イオンは、検出可能な放出を生じることができる。放出イオンが吸収体であってよく、かつ／または放出イオン以外の原子が吸収体として機能することができる。例えば、サーモグラフィ蛍光体がＥｒ：ＹＩＧである実施形態では、鉄が適切な励起エネルギ（例えば、鉄吸収帯内の励起エネルギ）の主な吸収体として機能することができ、鉄は、吸収したエネルギの一部をエルビウムに伝達することができる。加えて、エルビウムが、適切な励起エネルギ（例えば、エルビウム吸収帯内の励起エネルギ）を直接吸収することができる、吸収イオンとして機能することができる。いずれにしても、エルビウムは、その後、１つまたは複数のエルビウム放出帯内で検出可能な放射を放出することができる。以降でより詳細に議論されるように、エルビウムは、約１４６０ナノメートル（ｎｍ）から約１６６０ｎｍの範囲の波長で、この範囲内に複数の放出ピークが存在する、比較的強い放出を生じる。本明細書で使用する、「放出帯」とは、集中し、無視できない（例えば、検出可能な）放出がサーモグラフィ蛍光体の１つまたは複数の放出イオンから発生する、電磁スペクトルの波長の連続した範囲を意味する。任意の特定の放出イオンについて、「放出帯」は、その波長より下ではそのイオンについて放出が無視できる下側の波長、およびその波長より上ではそのイオンについて放出が無視できる上側の波長により画定される。
【００２９】
[0034]図２は、例示的な実施形態にしたがい、サーモグラフィ蛍光体（例えば、図１の物品１００で使用されるサーモグラフィ蛍光体）、サーモグラフィ蛍光体を含む媒体、およびサーモグラフィ蛍光体含有媒体を含む物品（例えば、図１の物品１００）を製造する方法の流れ図である。方法は、実施形態にしたがい、Ｅｒ：ＹＩＧを含む、予備的なサーモグラフィ蛍光体を調整することにより、ブロック２０２で始まる。一般的に発光材料（例えば、サーモグラフィ蛍光体）は、当業者に知られているいくつかの従来型のプロセスのうちのいずれかを使用して作成されうる。例えば、様々な実施形態の予備的なサーモグラフィ蛍光体の形成は、下に記載されるように、固体化学を使用して達成されうる。より具体的には、実施形態にしたがって、予備的なサーモグラフィ蛍光体は、サーモグラフィ蛍光体の要素の全てを典型的には酸化物の形で含む構成要素を使用して、結晶を成長させることにより調整される。
【００３０】
[0035]例えば、式Ｙ３Ｆｅ５Ｏ１２を有するサーモグラフィ蛍光体は、固体化学を使用して調整されうる。より具体的には、予備的なサーモグラフィ蛍光体にイットリウムおよび鉄を組み込むために、酸化イットリウム（Ｙ２Ｏ３）および酸化鉄（Ｆｅ２Ｏ３）は、予備的なサーモグラフィ蛍光体を成長させるために使用される構成要素のうちの２つである。加えて、結晶格子中のイットリウムの原子対原子交換は、予備的なサーモグラフィ蛍光体を成長させるために使用される追加の構成要素として酸化エルビウム（Ｅｒ２Ｏ３）を含むことにより達成されうる。予備的なサーモグラフィ蛍光体のイットリウムの部位内にエルビウムを置換するために、酸化イットリウムの一部または全てが、酸化エルビウムの所望の量で交換され、交換量は、（すなわち、エルビウム原子で交換されたイットリウム原子のパーセンテージを表す）原子数の点から規定される。例えば、予備的なサーモグラフィ蛍光体のイットリウムの部位内のエルビウムの１２パーセントの置換をすることが望まれる場合、酸化イットリウムの１２パーセントが酸化エルビウムで交換されることになる。
【００３１】
[0036]一度適切な量で（例えば、石英ボートおよび／またはアルミナるつぼ内で）結合されると、サーモグラフィ蛍光体は、１つまたは複数の規定の温度（例えば、摂氏約５００〜１２００度の範囲、または異なる範囲の温度）で１つまたは複数の規定の時間（例えば、１時間または複数時間）、１回または複数回結合された構成要素を焼成させることにより、ブロック２０４で活性化される。いくつかの実施形態では、焼成ステップの一部または全部の後で、粉末化プロセスが実施されうる。加えて、融剤が使用される実施形態では、最後の焼成ステップの後で、予備的なサーモグラフィ蛍光体から融剤が洗い流されうる。したがって、結果として得られる、粉末化された結晶は、予備的なサーモグラフィ蛍光体を形成する。最終的には、実施形態によれば、エルビウムは、＋３の原子価状態を有する。
【００３２】
[0037]上で議論したように、予備的なサーモグラフィ蛍光体を作り出すために固体化学が使用されうるが、他の場合には、溶液化学技法が使用されうる。溶液化学を使用して、様々な材料が、溶解、沈殿、および焼成される。サーモグラフィ蛍光体を作り出すために使用される特定のプロセスに依存して、他の材料が、予備的なサーモグラフィ蛍光体の形成に含まれうる。例えば、様々な融剤および他の前駆体が、予備的なサーモグラフィ蛍光体内に含まれうる。
【００３３】
[0038]ブロック２０６では、予備的なサーモグラフィ蛍光体がさらに粉砕および／またはフィルタ処理され、工程から製造された、より大きい粒子から、所望のサイズの結晶粒子を製造することができる。例えば、本明細書に記載されるサーモグラフィ蛍光体の様々な実施形態の効率は、サーモグラフィ蛍光体粉末が、約１０ミクロン未満の粒子サイズを有する粒子、いくつかの場合では約１ミクロン以下程度に小さいサイズを有する粒子を含むときでさえ、比較的高く維持できることが見出された。本明細書で使用する、用語「粒子サイズ」とは、粒子の平均直径（例えば、ＰＡ、ＭｏｎｔｇｏｍｅｒｙｖｉｌｌｅのＭｉｃｒｏｔｒａｃ  Ｉｎｃ．により製造されるデバイスなどのレーザ光回折タイプの測定デバイスにより測定されるように、質量容積５０パーセント点（Ｄ５０）の粒子サイズ平均直径）として規定される。
【００３４】
[0039]ブロック２０８では、サーモグラフィ蛍光体粒子は、媒体中に組み込まれる。例えば、限定としてではなく、媒体は、物品（例えば、プラスチック、プラスチックベース樹脂、ガラス、セラミック、金属、織物、木材、繊維、紙パルプ、紙、およびこれらの混合物）の基板に対応することができ、または、媒体は、物品の基板の表面に塗布（例えば、印刷、コーティング、スプレー、あるいは付着もしくは結合）されうる材料（例えば、インク、インク添加物、糊、液体、ゲル、プラスチック、およびプラスチックベース樹脂）、もしくは基板内に埋め込まれる特徴（例えば、埋め込まれる特徴、セキュリティスレッドなど）に対応することができる。前者の場合、サーモグラフィ蛍光体粒子は、例えば、基板用にサーモグラフィ蛍光体粒子を基材（例えば、紙、紙パルプ、ポリマ、プラスチック、プラスチックベース樹脂、ガラス、金属、織物、繊維、セラミック、木材、スラリ、これらの混合物など）と組み合わせること、および／または基板をサーモグラフィ蛍光体粒子のコロイド分散と含浸することにより、基板材料内に組み込まれうる。含浸は、例えば、印刷、滴下、コーティング、またはスプレープロセスにより実施されうる。
【００３５】
[0040]基板の表面に塗布されうる材料内にサーモグラフィ蛍光体粒子が組み込まれる実施形態では、サーモグラフィ蛍光体粒子は、組成物（例えば、インク、インク添加物または他の担体）とともに混合される。基板内に埋め込まれる特徴内にサーモグラフィ蛍光体粒子が組み込まれる実施形態では、特徴内へのサーモグラフィ蛍光体粒子の組込みは、上に議論されたように、基板内へのサーモグラフィ蛍光体の組込みと同様のやり方で実施されうる。より具体的には、サーモグラフィ蛍光体粒子は、それから埋め込まれる特徴が形成される基材と混合されうる。さらに他の実施形態では、サーモグラフィ蛍光体粒子は、他の媒体（例えば、糊、様々な液体、ゲルなど）に組み込まれ、または組み合わされうる。
【００３６】
[0041]ブロック２１０では、物品は、サーモグラフィ蛍光体を含んで製造される。例えば、このことは、サーモグラフィ蛍光体含有媒体または特徴を、（例えば、図１の物品１００といった）物品内または物品上に組み込むことにより達成されうる。サーモグラフィ蛍光体含有媒体が基板用の基材である実施形態では、このステップはバイパスされうる。逆に、サーモグラフィ蛍光体含有材料が基板の表面に塗布可能である実施形態では、サーモグラフィ蛍光体含有材料は、所定の場所で、基板の１つまたは複数の表面上に印刷されうる。逆に、サーモグラフィ蛍光体含有材料が埋め込まれる特徴に対応するとき、埋め込まれる特徴は、基板材料が展性のある形であるとき（例えば、材料がスラリ、溶融、または未硬化の形であるとき）、基板材料と一体化される。上に記載したやり方のうちのいずれか１つでは、サーモグラフィ蛍光体の実施形態は、物品内に組み込まれうる。
【００３７】
[0042]本明細書で記載されるサーモグラフィ蛍光体の実施形態は、物品のセキュリティまたは認証の特徴（例えば、物品の信ぴょう性を決定するために分析されうる物品の特徴）とともに使用するのに特に好都合であるが、それらは、同様に他の目的に使用されうる。より具体的には、本明細書で議論されるサーモグラフィ蛍光体の実施形態の吸収および放出特性は、セキュリティおよび認証の特徴とともにサーモグラフィ蛍光体を使用するのに好適である。
【００３８】
[0043]例えば、図３とともに下で記載されるような認証機器を使用して、物品が認証機器に提示されてよく、その上にまたはその中にサーモグラフィ蛍光体が任意選択で組み込まれる物品の一部は、第１の温度に加熱または冷却されてよい。あるいは、物品の部分は、認証機器により検知されうる、周囲の第１の温度のままであってよい。
【００３９】
[0044]第１の結果を生じるため、物品の部分は、次いで適切な励起エネルギにさらされうる。例えば、Ｅｒ：ＹＩＧサーモグラフィ蛍光体が物品上にまたは物品内に組み込まれている実施形態では、物品のさらされた部分内のサーモグラフィ蛍光体は、鉄および／またはエルビウム吸収帯内の励起エネルギで励起されうる。そのような実施形態では、エルビウムは、１つまたは複数のエルビウム放出帯（例えば、約１４６０ｎｍから約１６６０ｎｍの範囲の放出帯）内で、検出可能な放出を生じることができる。励起エネルギの提供を停止すると、認証機器は、第１の温度でエルビウム放出の（そのスペクトル範囲の全てまたは一部の）放出強度および／または減衰時定数を検出し、この第１の結果を記憶する。
【００４０】
[0045]実施形態によれば、第２の結果を生じるために、認証機器は、次いで物品の部分を第２の温度に加熱または冷却する（または、物品の部分の能動的な加熱または冷却を停止することにより、受動的に物品の部分を第２の温度に調節させる）。物品の部分は、再び適切な励起エネルギにさらされうる。励起エネルギの提供を停止すると、認証機器は、再び、第２の温度でエルビウム放出の（第１の結果を生じた検出と同じスペクトル範囲で）放出強度および／または減衰時定数を検出し、結果を記憶する。実施形態によれば、次いで、第１および第２の結果に関連する放出強度の変化および／または減衰時定数の変化が、検出パラメータ空間に入るのに十分有意であるかどうかを認証機器が決定する。
【００４１】
[0046]図３は、例示的な実施形態にしたがった、物品３５０を認証するためのシステム３００である。実施形態によれば、システム３００は、処理システム３０２、少なくとも１つの励起エネルギジェネレータ３０４、少なくとも１つの放出された放射検出器（または光検出器）３０６ならびに関連する光フィルタ３０８、温度コントローラ３１２、少なくとも１つの温度調節要素３１４、少なくとも１つの温度センサ３１６、データ記憶装置３１８、およびユーザインターフェイス３２０を含む。システム３００の様々な構成要素は、図３では原寸に比例して描かれていない場合があることを理解されたい。
【００４２】
[0047]物品（例えば、物品３５０）を認証することとともに、下でより詳細に記載されるように、実施形態によれば、処理システム３０２は、励起エネルギジェネレータ３０４による励起エネルギ３４２の提供、放出された放射検出器３０６により検出される放出された放射３４４の分析、ならびに温度コントローラ３１２により調節される温度調節および検知動作のタイミングを制御することができる。処理システム３０２は、様々な実施形態にしたがって、下でより詳細に記載されるように、そのような制御および分析プロセスを（例えば、実行可能なソフトウェアアルゴリズムの形で）実装するように構成される、１つまたは複数のプロセッサおよび関連する回路を含むことができる。同様に、温度コントローラ３１２は、温度調節要素３１４および温度センサ３１６により実施される温度調節ならびに検知動作を制御することに特に関連し、それぞれが、処理システム３０２からの入力に基づく、制御および分析プロセスを（例えば、実行可能なソフトウェアアルゴリズムの形で）実装するように構成される、１つまたは複数のプロセッサおよび関連する回路を含むことができる。実施形態によれば、処理システム３０２は、温度コントローラ３１２に制御コマンド（例えば、タイミングコマンド、温度設定など）を通信し、温度コントローラ３１２は、処理システム３０２に動作データ（例えば、検知された温度など）を通信する。代替実施形態では、処理システム３０２および温度コントローラ３１２は、共通のハードウェアを使用して実装されうる。しかし、明快のために、それらは別個の要素として描かれている。
【００４３】
[0048]システム３００は、物品３５０に励起エネルギを向けること、複数の温度で物品３５０から（もしある場合には）放出を検出すること、および複数の温度で放出の特性間で（もしある場合には）違いを分析することにより、物品（例えば、物品３５０）を認証するように構成される。（図１とともに記載される物品の実施形態を含む）システム（例えばシステム３００）の様々な実施形態は、様々な異なる形状で構成される、実質的に２次元および／または３次元の物品のいずれかを認証するように構成されうるが、実質的に２次元の物品（例えば、図３の物品３５０）を認証するように構成されるシステム３００の例が本明細書で提供される。
【００４４】
[0049]例では、物品３５０は、基板３５６、および任意選択で、表面に塗布される、または埋め込まれる認証の特徴３５８を含む。図１とともに上で記載されたように、基板３５６、表面に塗布されるもしくは埋め込まれる認証の特徴３５８、物品３５０の層もしくは他の構成要素、またはこれらの任意の組合せのいずれかは、サーモグラフィ蛍光体を含むことができる。認証システム３００の実施形態を説明するために、下の記述では、表面に塗布される認証の特徴３５８がサーモグラフィ蛍光体を含む例を使用する。提供される例が限定的であると考えるべきでないことを理解されたい。加えて、本明細書で議論される例示的な方法および物品の実施形態が、図４とともに記載される方法の１回の実行を使用して検出される、単一のサーモグラフィ蛍光体を含む物品を議論しているが、図４とともに記載される方法の複数回の繰り返しを使用して検出される、（例えば、各々が異なる放出特性を有する）複数の異なるサーモグラフィ蛍光体を物品が含みうることを理解されたい。
【００４５】
[0050]以前に記載した構成要素に加えて、システム３００は、システム３００の様々な構成要素のために構造支持を提供し、システム３００の様々な構成要素の一部または全てが実質的に封入されうる筐体３３０も含むことができる。一定の構成を有する筐体３３０が図３に図示され、本明細書に記載されているが、筐体３３０は、他の実施形態では著しく異なって構成されるが、筐体３３０の所望の機能性を依然として提供できることを理解されたい。例えば、示されている単体筐体３３０の代わりに、他の実施形態では、物品に関してシステム構成要素の所望の並置（例えば、物品３５０に関する温度調節要素３１４と窓３４０の並置）をもたらすようにヒンジ結合される、さもなければ構成可能な、複数の部分（例えば、上部および下部筐体部分）を有する構造を含むことができる。
【００４６】
[0051]実施形態によれば、筐体３３０は、内部チャンバ３３４への開口３３２を含む。開口３３２およびチャンバ３３４は、認証のために（例えば、手動または自動で）提示される物品（例えば、物品３５０）を収容するように構成される。例えば、チャンバ３３４は、少なくとも部分的に、チャンバ下面３３６およびチャンバ上面３３８によって画定されてよい。チャンバ下面３３６は、物品３５０の底面３５２の少なくとも一部が、温度調節要素３１４および温度センサ３１６が配置される、チャンバ下面３３６の一部に近接するように構成されうる。温度調節要素３１４が物品３５０の底面３５２に直接接触し、したがって、温度調節要素３１４と物品３５０の間で良好な熱伝達を実現するように、温度調節要素３１４が配向されうる。
【００４７】
[0052]温度コントローラ３１２の制御下で、温度コントローラ３１２に知られている目標温度に物品３５０の一部（例えば部分３６０）を加熱および／または冷却するように、温度調節要素３１４が構成される。後でより詳細に記載されるように、目標温度は、データ記憶装置３１８に記憶される温度設定に基づき、かつ／またはシステム３００のユーザによりユーザインターフェイス３２０を介して指定される温度設定に基づき、処理システム３０２により温度コントローラ３１２に指定されうる。加えて、処理システム３０２は、温度調節要素３１４により行われる温度調節のタイミング（例えば、開始時間、停止時間、および／または期間）に影響を及ぼす制御信号を温度コントローラ３１２に提供することができる。
【００４８】
[0053]様々な実施形態によれば、温度調節要素３１４は、別個の加熱要素および／または別個の冷却要素を含むことができる。例えば、温度調節要素３１４は、実施形態において、少なくとも１つのコンデンサに結合される少なくとも１つの抵抗素子を含む、抵抗タイプの加熱器を含むことができる。動作期間に、コンデンサ（複数可）は、物品３５０についての所望の温度上昇に対応する量のエネルギで充電され、コンデンサ（複数可）に蓄えられたエネルギが抵抗素子（複数可）を介して放電されると、抵抗素子（複数可）で生成される熱が物品３５０に伝達することができる。代替実施形態では、コンデンサに蓄えられたエネルギを抵抗素子を介してダンプするのではなく、物品３５０についての所望の温度上昇に対応するエネルギの量を提供するために、システムが所定の時間（所与の供給電圧で）、抵抗素子（複数可）を介して電流を加えることができる。
【００４９】
[0054]あるいは、温度調節要素３１４は、ヒートポンプを含むことができる。例えば、温度調節要素３１４は、熱をデバイスの一方の側から他方の側に伝達する、熱電加熱器／冷却器（ＴＥＣ）を含むことができ、熱伝達の方向は、ＴＥＣに加えられる電流の流れの極性に依存する。したがって、ＴＥＣは物品（例えば、物品３５０）の一部（例えば、部分３６０）を加熱することおよび冷却することの両方が可能である。より具体的には、ＴＥＣを通る第１の方向の電流の流れは、ＴＥＣの物品に面する側を、物品の部分の温度よりも高い温度に加熱させることができる。これが、熱をＴＥＣから物品の部分に伝達させることになり、このことが、物品の部分の温度の上昇（すなわち、物品の部分の加熱）をもたらすことができる。逆に、ＴＥＣを通る反対の方向の電流の流れは、ＴＥＣの物品に面する側を、物品の部分の温度よりも低い温度に冷却させることができる。これが、熱を物品の部分からＴＥＣに伝達させることになり、このことが、物品の部分の温度の減少（すなわち、物品の部分の冷却）をもたらすことができる。
【００５０】
[0055]実施形態によれば、温度センサ３１６は、物品の部分の温度を検知するように構成される。温度センサ３１６は、検知した温度測定値を温度コントローラ３１２にフィードバック信号として提供することができ、温度コントローラ３１２は、検知した温度測定値を分析して、例えば、物品の部分の温度が目標温度に到達したかどうかを決定することができる。温度コントローラ３１２は、物品３５０の部分３６０が目標温度に到達したことを示す信号を処理システム３０２に提供することができ、かつ／または温度コントローラ３１２は、様々な時間に物品３５０の部分３６０の検知された温度を示す信号を処理システム３０２に提供することができる。温度調節要素３１４および温度センサ３１６は、互いに一体であってよく、または温度調節要素３１４および温度センサ３１６は、互いに接触して（例えば、温度調節要素３１４および温度センサ３１６の両方が物品３５０と熱接触して並んで）配置されてよい。代替実施形態では、システム３００は、温度センサ３１６を含まない。
【００５１】
[0056]チャンバ上面３３８は、１つまたは複数の窓３４０を含むことができる。下でより詳細に議論されるように、１つまたは複数の窓３４０を通して、励起エネルギ３４２が、励起エネルギジェネレータ３０４により物品の上面（例えば、上面３５４）の一部に提供されてよく、１つまたは複数の窓３４０を通して、物品の上面の部分から発せられる、放出された放射３４４が、放出された放射検出器３０６およびその関連するフィルタ３０８により受け取られてよい。実施形態によれば、窓３４０は、温度調節要素３１４および温度センサ３１６から直接チャンバ３３４にわたって配置され、そのため、励起エネルギ３４２は、温度調節要素３１４により加熱および／または冷却される物品の同じ部分（例えば部分３６０）に提供されてよく、そのため、物品３５０からの任意の放出された放射３４４は、温度調節要素３１４により加熱および／または冷却される物品の同じ部分（例えば部分３６０）から発する。実施形態によれば、窓３４０および温度調節要素３１４は、チャンバ上面３３８およびチャンバ下面３３６に対してそれぞれ配向され、そのため、比較的小さい空気間隙（図示せず）が、絶縁をもたらすために、窓３４０と物品３５０の上面３５４との間に維持される。
【００５２】
[0057]代替実施形態では、温度調節要素３１４および／または温度センサ３１６が放出された放射３４４が発する物品３５０の同じ部分３６０を加熱および／または冷却する（物品３５０のその部分３６０の温度を検知する）ことができるように、また温度調節要素３１４および／または温度センサ３１６が窓３４０を通って進む放出された放射３４４をブロックまたは干渉しないように、温度調節要素３１４および／または温度センサ３１６が置かれているかぎり、温度調節要素３１４および／または温度センサ３１６のいずれかまたは両方は、チャンバ３３４の窓３４０と同じ側に（例えば、チャンバ上面３３８に）置かれてよい。
【００５３】
[0058]実施形態によれば、処理システム３０２は、励起エネルギジェネレータ３０４に励起エネルギ３４２を窓３４０を通して物品３５０に向けさせる、制御信号を励起エネルギジェネレータ３０４に提供するようにも構成される。より具体的には、処理システム３０２は、制御信号を励起エネルギジェネレータ３０４に提供し、励起エネルギ３４２を物品３５０に十分な期間向けて、もしある場合には、窓３４０の下の、物品３５０の部分３６０内に組み込まれている、本物のサーモグラフィ蛍光体内の放出イオン（例えば、基板３５６および／または認証の特徴３５８内の放出イオン）を励起させる。次いで、処理システム３０２が励起エネルギジェネレータ３０４を制御し、励起エネルギ３４２の提供を停止して、窓３４０を通って進む物品３５０の部分３６０からの放出された放射３４４が、フィルタ３０８および放出検出器３０６を使用して検出される。
【００５４】
[0059]励起エネルギジェネレータ３０４への制御信号中に、処理システム３０２が、励起エネルギ３４２の提供のタイミング（例えば、開始時間、停止時間、および／または期間）、および／または生成される特定の励起エネルギ３４２に関連する他のパラメータ（例えば、強度および／または他のパラメータ）を指定することができる。典型的には、励起エネルギ３４２の帯域は、励起エネルギジェネレータ３０４の部分として含まれる、励起光源（例えば、選択された発光ダイオードまたはレーザダイオードにより生成される励起エネルギの帯域）に基づいて予め定められる。以前に議論したように、様々な実施形態で、実施形態のサーモグラフィ蛍光体用の適切な励起エネルギは、鉄および／またはエルビウム吸収帯内であってよい。様々なタイミングおよび／または放射生成パラメータは、例えば、データ記憶装置３１８から取り出されてよい。励起エネルギジェネレータ３０４は、例えば、１つまたは複数のレーザ、レーザダイオード、発光ダイオード（ＬＥＤ）、白熱フィラメント、ランプ、または他の励起光源を含むことができる。
【００５５】
[0060]励起エネルギジェネレータ３０４を制御することに加えて、処理システム３０２は、放出検出器３０６に制御入力を提供するように構成されており、制御入力は、励起エネルギ３４２の少なくとも一部を（直接的または間接的のいずれかで）吸収した、サーモグラフィ蛍光体の放出イオンに応答して、物品３５０の部分３６０から発する放出された放射３４４を検出することを放出検出器３０６に試みさせる。例えば、実施形態では、物品３５０の部分３６０は、エルビウム放出に対応する放出を生じることができる。他の実施形態では、物品３５０の部分３６０は、他の放出イオンからの放出に対応する放出を生じることができる。
【００５６】
[0061]放出検出器３０６は、例えば、スペクトルフィルタ３０８、１つまたは複数の電気光学センサ、光電子倍増管、アバランシェフォトダイオード、フォトダイオード、電荷結合デバイス、電荷注入デバイス、写真用フィルム、または他の検出デバイスを含むことができる。特定の実施形態では、放出検出器３０６は、窓３４０と光検出器の間に配置されたスペクトルフィルタ３０８を含む。スペクトルフィルタ３０８は、放出された放射３４４が検出器３０６に提供される前に放出された放射３４４をフィルタ処理するように構成され、そのため、放出帯（すなわち、全スペクトルのサブセット）内の放出のみが、検出器３０６のアクティブ領域に実際に入射する。スペクトルフィルタ３０８は、例えば、対象のスペクトル帯内の光のみを通過させ、全ての他の光を阻止するように構成される、ロングパスフィルタ、バンドパスフィルタ、または他のタイプのフィルタを含むことができる。
【００５７】
[0062]検出器３０６は、対象のスペクトル帯内で感度を有し、したがって、そのスペクトル帯内であるスペクトルフィルタ３０８を通過する光を検出することができる。実施形態によれば、検出器３０６は、エルビウム放出帯に対応するチャンネル内の放出を検出するように構成される。実施形態によれば、検出器３０６は、インジウム−ガリウム−ヒ素（ＩｎＧａＡｓ）検出器（例えば、テレコムタイプまたは拡張ＩｎＧａＡｓ）を含む。検出されることが望ましい放出の波長に依存して、対象の帯域内の放出を検出することが可能な他のタイプの検出器が他の実施形態で使用されうる（例えば、シリコン、硫化鉛、セレン化鉛、ゲルマニウム、アンチモン化インジウム、ヒ化インジウム、ケイ化プラチナ、アンチモン化インジウムなど）。
【００５８】
[0063]検出器３０６は、検出器３０６のアクティブ領域に入射する、収集された放射の強度に比例する電気信号を生成する。より具体的には、検出器３０６は、検出器３０６により受け取られる、放出された放射３４４の部分の積算強度を表す信号（例えば、１つまたは複数のデジタル化強度値）を、処理システム３０２に提供する。本明細書で使用する、用語「強度」とは、波長の範囲にわたって検出される積算強度を意味することができるが、用語「強度」は、特定の波長（例えば、ピーク強度）で検出される強度としても解釈されうる。
【００５９】
[0064]実施形態によれば、励起エネルギ３４２の停止の際に、放出検出器３０６は、１つまたは複数の積算強度値をデジタル化する。例えば、放出検出器３０６は、およそｔ＝０で検出された積算強度を表す第１の値を生成することができ、次いで、その後、１つまたは複数の予め選択された間隔で（例えば、本物のサーモグラフィ蛍光体の減衰時定数に対応する時間に、かつ／または１つまたは複数の追加の時間に）検出された積算強度を表す１つまたは複数の追加の値を生成することができる。放出検出器３０６により処理システム３０２に提供される強度値は、処理システム３０２が１つまたは複数の放出特性（例えば、放出された放射３４４の、１つまたは複数の時間特性および／またはスペクトル特性）を決定することを可能にする。例えば、物品３５０を認証する状況で、放出検出器３０６は、エルビウム放出帯内の放出された放射の単一の積算強度に対応する１つの値を生成することができ、またはエルビウム放出帯内の放出された放射の、複数の時間的に間隔をあけた積算強度に対応する一連の値（例えば、２つ以上の値）を生成することができる。検出器３０６からの各値または値の組は、放出が検出された時間（例えば、対応する励起エネルギ３４２の提供の停止からの時間）を示す情報で、タグ付け、あるいは関連付けされてよい。
【００６０】
[0065]前述のように、また以下でより詳細に説明されるように、認証方法の実施形態は、物品（例えば、物品３５０）に検出可能な放出を２つ以上の異なる温度で生じさせることを試みるステップと、その後、２つ以上の異なる温度で放出の特性間に、もしある場合には、差異を分析するステップとを含む。以下に記載され、図４に描かれている実施形態では、方法は、温度調節要素（例えば温度調節要素３１４）の能動的な制御を介して達成される第１および第２の温度で、検出可能な放出を物品に生じさせることを試みるステップを含む。別の実施形態では、第１の温度または第２の温度のいずれかが周囲温度であってよく、したがって第１の温度または第２の温度のうちのただ１つが、温度調節要素の能動的な制御を介して生成される。さらに他の実施形態では、方法は、検出可能な放出を２つ以上の温度で物品に生じさせることを試みるステップと、２つ以上の温度で放出の特性間の差異を分析するステップとを含むことができる。そのような実施形態では、温度のうちの任意の１つは、周囲温度であってよい。この後者の実施形態は、本明細書では詳細に記載されないが、記載される実施形態の範囲に含まれることが意図される。
【００６１】
[0066]認証システム（例えば、図３のシステム３００）を使用して、物品認証を実施するための方法の様々な実施形態は、ここで、図４とともに記載されることになる。認証方法の実施形態を理解することは、図３への参照を続けることによって容易となる。しかし、認証方法の実施形態が、図３とともに記載される認証システムの実施形態とは異なって構成されるシステムを使用して実行されうることを理解されたい。同様に、図３とともに記載される認証システムの実施形態は、図４とともに記載される認証方法の実施形態とは異なる認証方法を実行できる。
【００６２】
[0067]ここで図４を参照し、図３への参照を続けると、物品（例えば、図１の物品１００、図３の物品３５０）の認証を実施するための方法の流れ図が、例示的な実施形態にしたがって記載される。方法は、ブロック４０２で、認証プロセスに関連する１つまたは複数の温度の設定を確立するステップにより始まることができる。本明細書で使用する、認証プロセスに関連する「温度」とは、（例えば、温度センサ３１６により）検知される実際の温度であってよい。例えば、温度は、温度センサ（例えば、温度センサ３１６）と接触する物品（例えば、物品３５０）の一部（例えば、部分３６０）の検知される温度に対応しうる。代替実施形態では、「温度」は、実際の検知される温度ではなく、設定に基づいて規定される温度であってよい。後者の実施形態では、認証システム（例えば、システム３００）は、温度センサ（例えば、温度センサ３１６）を除外することができる。本明細書で使用する、用語「周囲温度」とは、（例えば、温度調節要素３１４による）温度調節の結果でない、定常状態の温度を意味する。
【００６３】
[0068]ブロック４０２では、システムは、最初に、認証プロセス期間に使用される認証温度用の１つまたは複数の設定を確立するステップにより構成されうる。実施形態によれば、認証温度設定（複数可）は、システムのユーザによるユーザインターフェイス（例えば、ユーザインターフェイス３２０）の操作を介して確立されうる。ユーザインターフェイスは、ユーザに温度（複数可）の指定を可能にする、１つまたは複数のキー、ダイアル、ディスプレイ、および他のユーザインターフェイス構成要素を含むことができる。一度指定されると、温度（複数可）は、データ記憶装置（例えば、データ記憶装置３１８）に記憶される。実施形態では、温度（複数可）は、絶対温度（例えば、摂氏または華氏の度数の温度の値）で指定されうる。代替実施形態では、温度（複数可）は、温度差で指定されうる。例えば、様々な実施形態で、温度は、別の予め規定された温度またはユーザ指定された温度からの温度差として、または周囲温度（例えば、認証プロセスが実施される時間に検知される周囲温度）からの温度差として指定されうる。
【００６４】
[0069]実施形態によれば、ユーザにより指定されるか、または予め規定されるかに関わらず、第１の温度および第２の温度は、摂氏約±５度から摂氏約±１５度の範囲の温度差で、互いと異なっている。より具体的な実施形態では、第１の温度および第２の温度は、摂氏約±１０度の温度差で互いと異なっている。例えば、実施形態では第１の温度は摂氏約３３度であってよく、第２の温度は摂氏約２３度または摂氏約４３度のいずれかであってよいが、第１の温度と第２の温度は、同様に異なりうる。温度がユーザ指定される実施形態では、ブロック４０２の実行期間に、システムは、可能な範囲（例えば、摂氏約±５度から約±１５の範囲）内の温度差で、互いに異なる、第１の温度および第２の温度をユーザが選択することを制限することができる。別の実施形態によれば、ユーザにより指定されるか予め規定されるかに関わらず、第１の温度が、摂氏約１５度から摂氏約３５度の範囲内の温度であり、第２の温度が、摂氏約１０度から摂氏約２０度の範囲内の温度である。上に与えられる例示の値および範囲より大きいまたは小さい絶対温度および／または温度差が、同様に使用されうる。
【００６５】
[0070]ユーザが温度を指定することを可能にすることに加えて、実施形態では、ユーザインターフェイスは、ユーザに、システムによりサポートされうる複数のテストモードのうちの１つを指定することを可能にすることができる。例えば、システムは、認証温度のうちの１つが周囲温度である（例えば、下に記載される「第１の温度」または「第２の温度」のいずれかが周囲温度である）第１のテストモードをサポートすることができる。あるいは、システムは、認証温度の全てが、温度調節要素（例えば、温度調節要素３１４）の能動的な制御を介してシステムにより達成される温度に対応する、第２のテストモードをサポートすることができる。さらに別の実施形態では、システムは、様々な精度のテストモードをサポートすることができる。例えば、比較的低精度のテストモードは、２つの温度で検出される放出に認証決定が基づくことができ、一方、比較的高精度のテストモードは、２つよりも多い温度で検出される放出に認証決定が基づくことができる。実施形態によれば、ユーザは、そのようなテストモードを指定することができる。
【００６６】
[0071]さらに他の実施形態では、ユーザインターフェイスは、ユーザに、認証プロセスに関連する他のパラメータ（例えば、温度調節期間、励起提供期間、励起エネルギ波長および／または強度、励起差認証閾値など）を指示することを可能にすることができ、構成可能なパラメータの各々用に指示された値は、データ記憶装置（データ記憶装置３１８）内に記憶される。代替実施形態では、システムは、認証温度および／または他のパラメータおよび／またはテストモード選択のユーザ構成をサポートしない場合がある。そのような実施形態では、認証パラメータおよび他のパラメータは、予め規定され、データ記憶装置（例えば、データ記憶装置３１８）に記憶されてよく、かつ／または単一のテストモードがシステムに実装されてよい。
【００６７】
[0072]説明のため、以下で議論される実施形態は、認証決定が２つの温度（例えば、以下で記載される「第１の温度」および「第２の温度」）で検出される放出に基づいて行われるテストモードを記載する。さらに、以下で議論される実施形態は、第１の温度および第２の温度が周囲のものではない、絶対温度であり、温度調節要素（例えば、温度調節要素３１４）の能動的な制御を介してシステムが第１の温度および第２の温度を達成する、認証プロセスを記載する。認証プロセスの他の実施形態の実施をもたらす、以下に記載される実施形態の変形形態は、本開示の範囲内であることが意図される。
【００６８】
[0073]物品（例えば、物品３５０）の認証を開始するため、ブロック４０４で、物品がシステムにより「受け取られる」。例えば、ユーザが物品をシステムのチャンバ（チャンバ３３４）内に挿入すると、あるいはユーザが、（認証物品内の）実施形態のサーモグラフィ蛍光体が存在するはずの物品の一部（例えば、部分３６０および／または認証の特徴３５８）を、システムの温度調節要素（例えば、温度調節要素３１４）と熱接触させ、物品と励起窓との間に空気間隙をもうけて励起窓（例えば、窓３４０）と近接させると、システムは、認証されるべき物品を受け取ることができる。代替実施形態では、システムは、物品が温度調節要素および励起窓に近接する位置に、物品を自動的に送る自動ルーティング構成要素を含むことができる。どちらにしても、システムは、様々な実施形態で、物品の存在を検出するように構成されてよく、以下に記載される認証プロセスを自動的に開始することができ、またはユーザがユーザインターフェイスを介して（例えば、開始ボタンを押すことまたは同様の入力を提供することにより）認証プロセスを開始することができる。
【００６９】
[0074]実施形態によれば、認証プロセスは、物品の温度調節ステップ、励起エネルギ提供ステップ、および放出検出ステップ（例えば、ブロック４０６、４０８、４１０、４１２、４１４、４１６）、もしもある場合には、異なる温度における物品からの放射が、本物の物品を示すため十分に異なるかどうかを決定する、その後の検出された放出の分析（例えば、ブロック４１８、４２０）のシーケンスを含む。認証方法の様々なステップの制御および放出分析は、実施形態にしたがって、処理システム（例えば、処理システム３０２）により実施される。より具体的には、処理システムは、様々なシステム構成要素（例えば、温度コントローラ３１２、励起エネルギジェネレータ３０４、および放出された放射検出器３０６）に制御信号を提供することにより様々なステップの実行のタイミングを制御し、このことが、様々なシステム構成要素に、様々なステップの開始および実行を行わせる。
【００７０】
[0075]実施形態では、システムにより受け取られた物品を認証するため、ブロック４０６で、温度調節要素（例えば、温度調節要素３１６）が能動的に制御され、第１の温度に到達する。例えば、処理システムがデータ記憶装置（例えば、データ記憶装置３１８）から第１の温度を取得することができ、処理システムは、第１の温度を示す制御信号を温度コントローラ（例えば、温度コントローラ３１２）に送ることができる。制御信号を受け取ることに応答して、温度コントローラは、第１の温度に到達するため、温度調節要素（例えば、温度調節要素３１４）を制御することができる。例えば、温度調節要素が抵抗タイプの加熱器である実施形態では、温度コントローラは、物品の温度を所望の温度に、または所望の温度差だけ上昇させるのに十分な、ある量のエネルギを（例えば、コンデンサを充電することまたは所定の期間電流を提供することにより）加熱器の抵抗素子（複数可）に提供させることができる。あるいは、温度調節要素がＴＥＣである実施形態では、温度コントローラがＴＥＣを通して電流を提供することができ、電流の極性は、ＴＥＣの物品に面する面から熱を除去するために（例えば、ＴＥＣの物品に面する面に近接する物品３５０の部分３６０を冷却するために）ＴＥＣが使用されるのか、ＴＥＣの物品に面する面に熱を提供するために（例えば、ＴＥＣの物品に面する面に近接する物品３５０の部分３６０を加熱するために）ＴＥＣが使用されるのかに依存する。
【００７１】
[0076]システムが温度調節要素に近接した温度センサ（例えば、温度センサ３１６）を含む実施形態によれば、温度センサは、温度（例えば、物品３５０の部分３６０の温度、抵抗タイプの加熱器の抵抗素子の温度、またはＴＥＣの物品に面する面の温度）を検知することができ、温度センサにより検知される現在の温度を示す信号を温度コントローラに、継続的に、周期的に、または時々提供することができる。そのような実施形態では、温度コントローラは、第１の温度に到達するため、現在の温度と第１の温度との間の差に基づいて、温度調節要素に対する温度コントローラの制御を調節することができる。
【００７２】
[0077]加えて、実施形態では、温度コントローラ（または温度センサ）は、現在の温度を示す信号を、処理システム、および／または、もしもシステムに含まれている場合に、ユーザインターフェイスの温度監視構成要素（図示せず）に提供することができる。実施形態では、温度監視構成要素は、システムのユーザに現在の温度を表示することができる。加えて、または代替的に、温度コントローラは、現在の温度が容認できる許容範囲内の第１の温度に到達したこと（例えば、現在の温度が第１の温度と「実質的に等しい」こと）を示す制御信号を処理システムに送ることができる。（例えば、温度コントローラおよび／または温度センサから信号（複数可）を受け取ることに応答して）現在の温度が第１の温度と実質的に等しいことを処理システムが決定すると、処理システムは、認証プロセスの次の部分（すなわち、後で記載される、ブロック４０８）に進むことができる。
【００７３】
[0078]第１の温度が周囲温度である実施形態によれば、ブロック４０６は、周囲温度検知ステップで置き換えられうる。あるいは、ブロック４０６は、まったく除外されうる。前者の実施形態（すなわち、プロセスが周囲温度検知ステップを含む）では、温度センサ（温度センサ３１６）は、周囲温度（例えば、物品３５０の部分３６０の温度、抵抗タイプの加熱器の抵抗素子の温度、またはＴＥＣの物品に面する面の温度）を検知することができ、周囲温度を示す信号を温度コントローラ、処理システム、および／または温度監視構成要素に提供することができ、信号は検知された周囲温度を示し、検知された周囲温度は、データ記憶装置（例えば、データ記憶装置３１８）内に「第１の温度」として記憶されうる。処理システムが検知された周囲温度を受け取ると、処理システムは、認証プロセスの次の部分（すなわち、ブロック４０８）に進むことができる。
【００７４】
[0079]第１の温度が到達された後に実施されるブロック４０８で、様々な実施形態では、周囲温度が検知され、または所定の時間期間が経過すると、物品は、適切な励起エネルギ（すなわち、本物のサーモグラフィ蛍光体の吸収帯内の励起エネルギ）にさらされる。例えば、処理システムは、励起エネルギジェネレータが適切な励起エネルギの提供を開始するべきであること、励起エネルギの波長、および／または励起エネルギジェネレータが励起エネルギを提供するべき期間（または開始時間および停止時間）を示す制御信号を励起エネルギジェネレータ（例えば、励起エネルギジェネレータ３０４）に送ることができる。制御信号を受け取ることに応答して、励起エネルギジェネレータは、制御信号に指定される任意のパラメータにしたがって、励起エネルギ（例えば、励起エネルギ３４２）を生成する。例えば、Ｅｒ：ＹＩＧサーモグラフィ蛍光体が本物の物品内に組み込まれている実施形態では、励起エネルギジェネレータは、鉄および／またはエルビウム吸収帯内で励起エネルギを提供することができる。他のサーモグラフィ蛍光体が本物の物品上にまたは本物の物品内に組み込まれている実施形態では、励起エネルギジェネレータは、サーモグラフィ蛍光体にとって適切であるいずれかの吸収帯で励起エネルギを提供してよい。
【００７５】
[0080]励起エネルギジェネレータは、（例えば、処理システムにより示される、または制御されるような）時間期間の間、励起エネルギを提供する。その時間期間の終わりに、ブロック４１０で、励起エネルギへの物品の露出が停止され、システムは、物品から放出された放射（例えば、放出された放射３４４）を検出することを試みる。例えば、処理システムは、制御信号を放出検出器（例えば、放出検出器３０６）に送ることができ、このことが、励起エネルギの少なくとも一部を（直接的または間接的のいずれかで）吸収した本物のサーモグラフィ蛍光体の放出イオンに応答して、物品の一部（例えば、物品３５０の部分３６０）から発する放出された放射（例えば、放出された放射３４４）を検出することを放出検出器に試みさせる。例えば、Ｅｒ：ＹＩＧサーモグラフィ蛍光体が本物の物品上にまたは本物の物品内に組み込まれている実施形態では、放出検出器は、エルビウム放出帯（例えば、約１４６０ｎｍと約１６６０ｎｍとの間の帯域）内でエルビウム放出に対応する放出された放射を検出することを試みることができる。本物の物品上または本物の物品内に他の放出イオンを用いる他のサーモグラフィ蛍光体が組み込まれている他の実施形態では、放出検出器は、他の放出イオンに対応する放出された放射を検出することを試みることができる。
【００７６】
[0081]以前に議論したように、実施形態では、励起エネルギの停止の際に、放出検出器は、１つまたは複数の積算強度値をデジタル化することができ、放出検出器は、第１の温度において放出された放射の１つまたは複数の積算強度（例えば、「第１の強度値」）を表す信号を処理システムに提供することができる。放出検出器により提供される第１の強度値から、処理システムは、１つまたは複数の放出特性（例えば、放出された放射の、１つまたは複数の時間的特性および／またはスペクトル特性）を決定することができる。例えば、処理システムは、検出される放出の第１の減衰時定数を決定することができる。
【００７７】
[0082]励起エネルギを除去すると、任意の放出イオンの放出の強度が経時的に減衰し、放出イオンの減衰速度は、減衰時定数により特徴づけられうる。例えば、放出強度の単純な指数関数的減衰に関して、減衰時定数は、式：
Ｉ（ｔ）＝Ｉ０ｅ−ｔ／τ  （式１）
中の定数τにより表されうる。ここで、ｔは時間を意味し、Ｉ（ｔ）は時間ｔにおける放出強度を意味し、Ｉ０はｔ＝０における放出強度を意味する（例えば、ｔ＝０とは、励起エネルギの提供が停止される瞬間に対応することができる）。いくつかのサーモグラフィ蛍光体の放出強度は、上の単純な指数関数の式にしたがって減衰する場合があるが、他のサーモグラフィ蛍光体の放出強度は、（例えば、減衰に影響を及ぼす複数の機構が存在するとき）複数の指数関数的な減衰により影響を受ける場合がある。いくつかの場合では、サーモグラフィ蛍光体は、特に、エネルギ伝達が機構の部分であるとき、単純な単一の指数関数的減衰を呈さない場合がある。
【００７８】
[0083]実施形態によれば、処理システムは、第１の温度を、第１の温度で放出された放射の、時間的特性および／またはスペクトル特性と相関させる。例えば、処理システムは、第１の温度に関連して、強度値および／または第１の減衰時定数を（データ記憶装置３１８内に）記憶することができる。
【００７９】
[0084]ブロック４０６、４０８、および４１０は、次いで第２の温度で（すなわち、ブロック４１２、４１４、および４１６として）実質的に繰り返される。より具体的には、実施形態では、ブロック４１２で温度調節要素が能動的に制御され、第２の温度に到達する。例えば、処理システムは、データ記憶装置（例えば、データ記憶装置３１８）から第２の温度を取得することができ、処理システムは、第２の温度を示す制御信号を温度コントローラに送ることができる。以前に記載したように、制御信号を受け取ることに応答して、温度コントローラは、第２の温度に到達するため、温度調節要素（例えば、温度調節要素３１４）を制御することができる。実施形態によれば、第２の温度は、第１の温度よりも（例えば、摂氏約−５度から摂氏約−１５度の範囲の温度差または何らかの他の差だけ）低い温度である。代替実施形態では、第２の温度は、第１の温度よりも（例えば、摂氏約５度から摂氏約１５度の範囲の温度差または何らかの他の差だけ）高い温度である。
【００８０】
[0085]やはり以前に記載したように、実施形態では、温度コントローラ（または温度センサ）は、現在の温度を示す信号を、処理システム、および／または、もしもシステムに含まれている場合に、ユーザインターフェイスの温度監視構成要素（図示せず）に提供することができる。加えて、または代替的に、温度コントローラは、現在の温度が容認できる許容範囲内の第２の温度に到達したこと（例えば、現在の温度が第２の温度と「実質的に等しい」こと）を示す制御信号を処理システムに送ることができる。（例えば、温度コントローラおよび／または温度センサから信号（複数可）を受け取ることに応答して）現在の温度が第２の温度と実質的に等しいことを処理システムが決定すると、処理システムは、認証プロセスの次の部分（すなわち、後で記載される、ブロック４１４）に進むことができる。
【００８１】
[0086]第２の温度が周囲温度である実施形態によれば、ブロック４１２は、温度正規化ステップで置き換えられうる。例えば、物品が周囲温度に戻ることを可能にするために、温度コントローラは、温度調節要素を能動的に制御することをやめてよく、システムは、物品の温度が周囲温度に正規化するまたは周囲温度に向かうのを、ある期間の時間待ってよい。
【００８２】
[0087]時間の期間の終わりにおいて、温度センサは、現在の温度（例えば、物品３５０の部分３６０の温度、抵抗タイプの加熱器の抵抗素子の温度、またはＴＥＣの物品に面する面の温度）を検知することができ、現在温度を示す信号を温度コントローラ、処理システム、および／または温度監視構成要素に提供することができる。この「検知された」周囲温度は、データ記憶装置（例えば、データ記憶装置３１８）内に「第２の温度」として記憶されうる。処理システムは、次いで、認証プロセスの次の部分（すなわち、ブロック４１４）に進むことができる。
【００８３】
[0088]ブロック４０８とともに以前に記載したように、第２の温度が到達された後に実施されるブロック４１４で、様々な実施形態では、周囲温度が検知され、または所定の時間期間が経過すると、物品は、適切な励起エネルギ（すなわち、本物のサーモグラフィ蛍光体の吸収帯内の励起エネルギ）に再度さらされる。励起エネルギジェネレータは、（例えば、処理システムにより示される、または制御されるような）時間期間の間、励起エネルギを提供する。ブロック４１０とともにやはり以前に記載したように、その時間期間の終わりに、ブロック４１６で、励起エネルギへの物品の露出が停止され、システムは、物品から放出された放射（例えば、放出された放射３４４）を検出することを試みる。実施形態によれば、励起エネルギジェネレータは、第１の励起エネルギへの露出を実施することとともに励起エネルギを提供するために使用されたものと同じパラメータを使用して（すなわち、ステップ４０８と同じ時間期間、および同じ波長で）励起エネルギを提供する。
【００８４】
[0089]以前に議論したように、実施形態では、励起エネルギの停止の際に、放出検出器は、１つまたは複数の積算強度値をデジタル化することができ、放出検出器は、第２の温度において放出された放射の１つの積算強度値（または複数の積算強度）（例えば、「第２の強度値」）を表す信号を処理システムに提供することができる。放出検出器により提供される第２の強度値（複数可）から、処理システムは、１つまたは複数の放出特性（例えば、放出された放射の、１つまたは複数の時間的特性および／またはスペクトル特性）を再び決定することができる。例えば、処理システムは、検出される放出の第２の減衰時定数を決定することができる。実施形態によれば、処理システムは、第２の温度を、第２の温度で放出された放射の、時間的特性および／またはスペクトル特性と相関させる。例えば、処理システムは、第２の温度に関連して、第２の強度値および／または第２の減衰時定数を（データ記憶装置３１８内に）記憶することができる。
【００８５】
[0090]ブロック４１８で、任意の検出された放射の時間的特性および／またはスペクトル特性が本物の物品の時間的特性および／またはスペクトル特性に対応するかどうかを決定するため、処理システムは、次いで、第１および第２の放出の時間的特性および／またはスペクトル特性を分析する。実施形態によれば、処理システムは、第１の放出と第２の放出の時間的特性および／またはスペクトル特性を比較する。例えば、第１放出と第２の放出のスペクトル特性を比較するため、処理システムは、第１温度における第１の積算強度と第２の温度における第２の積算強度の比を決定することができる。第１の積算強度と第２の積算強度の比は、各測定に関連する励起エネルギが停止された（すなわち、ｔ＝０）とき、または励起エネルギの停止後の所与の時間に、次式：
ＲＩ＝Ｉ（Ｔ１）／Ｉ（Ｔ２）  （式２）
のように測定される。ここで、ＲＩは強度比であり、Ｉ（Ｔ１）は、第１の強度測定に関連して励起エネルギの停止に対する所与の時間に第１の温度Ｔ１において測定された強度であり、Ｉ（Ｔ２）は、第２の強度測定に関連して励起エネルギの停止に対する同じ所与の時間に第２の温度Ｔ２において測定された強度である。
【００８６】
[0091]逆に、（励起エネルギの停止に対する異なる時間における）積算強度の複数の測定が第１の温度および第２の温度で行われる実施形態では、温度の各々において生成される放出に対応する減衰時定数を計算するために、第１および第２の放出の時間的特性が、数式内の変数として複数の積算強度値を使用することができる。第１の減衰時定数と第２の減衰時定数の間の差の大きさが次いで決定される。例えば、処理システムは、以下のように、第１の温度における放出の第１の減衰時定数を決定し（下の式３ａ）、第２の温度における放出の第２の減衰時定数を決定し（下の式３ｂ）、第１の減衰時定数と第２の減衰時定数の間の差を決定する（下の式３ｃ）ことができる。
τＴ１＝−（ｔ２−ｔ１）／ｌｎ（Ｉ（Ｔ１（ｔ１）／Ｉ（Ｔ１（ｔ２））  （式３ａ）
τＴ２＝−（ｔ２−ｔ１）／ｌｎ（Ｉ（Ｔ２（ｔ１）／Ｉ（Ｔ２（ｔ２））  （式３ｂ）
Δτ＝τＴ１−τＴ２  （式３ｃ）
ここで、τＴ１は第１の温度Ｔ１における第１の減衰時定数を表す値であり、τＴ２は第２の温度Ｔ２における第２の減衰時定数を表す値であり、Δτは、第１の減衰時定数と第２の減衰時定数の間の差である。
【００８７】
[0092]あるいは、第１の放出と第２の放出のスペクトル特性を比較するため、処理システムは、以下のように第１の強度値と第２の強度値の間の差を決定することができる。
ΔＩ＝Ｉ（Ｔ１）−Ｉ（Ｔ２）  （式４）
ここで、ΔＩは強度差である。逆に、第１の放出と第２の放出のスペクトル特性を比較するため、処理システムは、第１の温度における第１の減衰時定数と第２の温度における第２の減衰時定数の比を以下のように決定することができる。
Ｒτ＝τＴ１／τＴ２  （式５）
ここで、Ｒτは第１の減衰時定数と第２の減衰時定数の比である。
【００８８】
[0093]他の実施形態では、第１の放出と第２の放出の時間的特性および／またはスペクトル特性の差を示すために他の数式が使用されてよい。加えて、温度調節、励起エネルギ露出、および放出された放射の検出プロセスの３回以上の繰り返しが実施される実施形態では、強度または減衰時定数の変化速度を温度の関数として決定するのに、数式が３つ以上の測定された強度および／または減衰時定数を考慮にいれることができ、それらの決定された変化速度は、どのように温度が強度および／または減衰時定数に影響を及ぼすかを示すために検討されてよい。
【００８９】
[0094]以前に議論したように、サーモグラフィ蛍光体の時間的特性および／またはスペクトル特性は、温度で変化する。したがって、本物のサーモグラフィ蛍光体を有する物品について、システムは、物品から検出される任意の放出の時間的特性および／またはスペクトル特性が第１および第２の温度で異なることを予期する。実施形態によれば、時間的特性および／またはスペクトル特性が「十分に異なる」とき、物品は本物であると考えられてよい。逆に、時間的特性および／またはスペクトル特性が「十分に異ならない」とき、物品は本物でないと考えられてよい。
【００９０】
[0095]ブロック４２０で、処理システムは、第１の放出と第２の放出の時間的特性および／またはスペクトル特性に検出可能な差があるかどうかを決定する。例えば、処理システムは、本物の物品を示すため、第１の放出と第２の放出の時間的特性および／またはスペクトル特性が「十分に異なる」かどうか決定することができる。この決定は、（例えば、上の式２〜５で計算されるように）強度および／または減衰時定数を反映する比率および／または差のうちの１つまたは複数を、対応する認証閾値（例えば、それぞれ「強度に関連する認証閾値」および「減衰時定数に関連する認証閾値」）と比較することを含むことができる。
【００９１】
[0096]減衰時定数に関連する認証閾値に関し、実施形態によれば、第１の温度と第２の温度の間で、摂氏１０度の差毎に、第１の減衰時定数と第２の減衰時定数が、互いに少なくとも５パーセントの差であることを、減衰時定数に対応する計算（例えば、上の式３および式５）が示す（例えば、減衰時定数に関連する認証閾値が、摂氏１０度の差に対して、約１．０５または約０．９５のいずれかである）とき、処理システムは、時間的特性が十分に異なることを決定する。別の実施形態によれば、第１の温度と第２の温度の間で、摂氏１０度の差毎に、第１の減衰時定数と第２の減衰時定数が、互いに少なくとも１０パーセントの差であることを、減衰時定数に対応する計算が示す（例えば、減衰時定数に関連する認証閾値が、摂氏１０度の差に対して、約１．１または約０．９のいずれかである）とき、処理システムは、時間的特性が十分に異なることを決定する。さらに別の実施形態によれば、第１の温度と第２の温度の間で、摂氏１０度の差毎に、第１の減衰時定数と第２の減衰時定数が、互いに少なくとも２０パーセントの差であることを、減衰時定数に対応する計算が示す（例えば、減衰時定数に関連する認証閾値が、摂氏１０度の差に対して、約１．２または約０．８のいずれかである）とき、処理システムは、時間的特性が十分に異なることを決定する。さらに別の実施形態によれば、第１の温度と第２の温度の間で摂氏１０度の差毎に、第１の減衰時定数と第２の減衰時定数が、互いに少なくとも３０パーセントの差であることを、減衰時定数に対応する計算が示す（例えば、減衰時定数に関連する認証閾値が、摂氏１０度の差に対して、約１．３または約０．７のいずれかである）とき、処理システムは、時間的特性が十分に異なることを決定する。第１の温度と第２の温度の間で、より小さいまたはより大きい差に関し、それぞれ、比例する、より小さいまたはより大きい減衰時定数に関連する認証閾値が実装されうる。
【００９２】
[0097]さらに別の実施形態によれば、処理システムは、温度（例えば、ｘ軸）−減衰時定数（例えば、ｙ軸）曲線の傾きの方向および大きさに基づいて、時間的特性が十分に異なるかどうかを決定することができる。例えば、より高い温度（すなわち、第１の温度または第２の温度の一方）に対応する減衰時定数が、より低い温度（第１の温度または第２の温度の他方）に対応する減衰時定数よりも、少なくとも所定のパーセンテージ低いとき、処理システムは、時間的特性が十分に異なると決定することができる。すなわち、温度−減衰時定数曲線の傾きが負であり、十分な大きさ（例えば、摂氏１度当たり少なくとも−０．１ミリ秒の大きさ、または何らかの他の大きさ）を有するとき、処理システムは、時間的特性が十分に異なると決定する。
【００９３】
[0098]強度に関連する認証閾値に関し、別の実施形態によれば、第１の温度と第２の温度の間で、摂氏１０度の差毎に、第１の強度と第２の強度が、互いに少なくとも１０パーセントの差であることを、第１の強度と第２の強度の比または差（例えば、上の式２および式４）が示す（例えば、強度に関連する認証閾値が、摂氏１０度の差に対して、約１．１または約０．９のいずれかである）とき、処理システムは、スペクトル特性が十分に異なることを決定する。別の実施形態によれば、第１の温度と第２の温度の間で、摂氏１０度の差毎に、第１の強度と第２の強度が、互いに少なくとも２０パーセントの差であることを、第１の強度と第２の強度の比または差が示す（例えば、強度に関連する認証閾値が、摂氏１０度の差に対して、約１．２または約０．８のいずれかである）とき、処理システムは、スペクトル特性が十分に異なることを決定する。さらに別の実施形態によれば、第１の温度と第２の温度の間で、摂氏１０度の差毎に、第１の強度と第２の強度が、互いに少なくとも３０パーセントの差であることを、第１の強度と第２の強度の比または差が示す（例えば、強度に関連する認証閾値が、摂氏１０度の差に対して、約１．３または約０．７のいずれかである）とき、処理システムは、スペクトル特性が十分に異なることを決定する。第１の温度と第２の温度の間で、より小さいまたはより大きい差に関し、それぞれ、比例する、より小さいまたはより大きい強度に関連する認証閾値が実装されうる。
【００９４】
[0099]さらに別の実施形態によれば、処理システムは、温度（例えば、ｘ軸）−強度（例えば、ｙ軸）曲線の傾きの方向および大きさに基づいて、スペクトル特性が十分に異なるかどうかを決定することができる。例えば、サーモグラフィ蛍光体のいくつかの実施形態（例えば、Ｅｒ：ＹＩＧの実施形態）は、（例えば、図５〜図７に示されるように）温度と減衰時定数および強度の両方との間で、反比例関係を呈する。したがって、それらのサーモグラフィ蛍光体の実施形態について、第１の温度が第２の温度よりも高いとき、本物のサーモグラフィ蛍光体の、第１の減衰時定数および第１の強度は、第２の減衰時定数および第２の強度よりも小さくなる。そのようなサーモグラフィ蛍光体の認証を実施するとき、より高い温度に対応する強度が、より低い温度に対応する強度よりも少なくとも所定のパーセンテージ低いとき、処理システムは、スペクトル特性が十分に異なると決定することができる。サーモグラフィ蛍光体の他の実施形態は、温度と強度の間の、直接的な比例関係を呈する場合がある（例えば、図５のトレース５０７により表されるような、Ｃｒ：Ｅｒ：ＹＧＧの実施形態の、温度対強度の関係）。したがって、それらのサーモグラフィ蛍光体の実施形態について、第１の温度が第２の温度よりも高いとき、本物のサーモグラフィ蛍光体の、第１の強度は、第２の強度よりも大きくなる。そのようなサーモグラフィ蛍光体の認証を実施するとき、より高い温度に対応する強度が、より低い温度に対応する強度よりも少なくとも所定のパーセンテージ高いとき、処理システムは、スペクトル特性が十分に異なると決定することができる。どちらにしても、温度−強度曲線の傾きが期待される所定のパラメータ内に入る（例えば、傾きが本物のサーモグラフィ蛍光体について期待される符号に対応する符号を有し、傾きが十分な大きさ（例えば、摂氏１度当たり少なくとも０．１任意単位の大きさ、または何らかの他の大きさ）を有する）とき、処理システムは、スペクトル特性が十分に異なると決定することができる。
【００９５】
[00100]さらに他の実施形態では、強度間の比較値（例えば、比または差）を計算するのではなく、各温度における放出が、本物のサーモグラフィ蛍光体に対応する、所定の異なる範囲（すなわち、オーバーラップしない範囲）に入る、時間的特性および／またはスペクトル特性を有するかどうかを決定するため、処理システムは、第１の放出および第２の放出の時間的特性および／またはスペクトル特性を別個に分析することができる。
【００９６】
[00101]ブロック４２０で、第１の温度および第２の温度における放出の時間的特性および／またはスペクトル特性が十分に異なる（または、適切であるが異なる範囲内である）と処理システムが決定したとき、ブロック４２２で、処理システムは、物品を本物であると識別することができる。例えば、処理システムは、物品を本物の物品として識別することに関連する何らかのアクションをとることができる。例えば、処理システムは、ユーザインターフェイス（例えば、ユーザインターフェイス３２０）に信ぴょう性に関連する信号を送ることができ、このことが、ユーザインターフェイスに、信ぴょう性のユーザ知覚可能な表示（例えば、表示されるしるし、光、音など）を生成させる。あるいは、処理システムは、システムのルーティング構成要素（図示せず）に、本物の物品用に割り当てられた経路または置き場へ、物品を経路指定させることができる。
【００９７】
[00102]逆に、第１の温度および第２の温度における放出の時間的特性および／またはスペクトル特性が十分に異ならないと処理システムが決定したとき、ブロック４２４で、処理システムは、物品を本物でないと識別することができる。例えば、検出された放射の時間的特性および／またはスペクトル特性が本物の物品に対応しないとき、処理システムは、物品を本物でない物品として識別することに関連する何らかのアクションをとることができる。例えば、処理システムは、ユーザインターフェイスに本物でないことに関連する信号を送ることができ、このことが、ユーザインターフェイスに、本物でないことのユーザ知覚可能な表示（例えば、表示されるしるし、光、音など）を生成させる。あるいは、処理システムは、システムのルーティング構成要素（図示せず）に、本物でない物品用に割り当てられた経路または置き場へ、物品を経路指定させることができる。
【００９８】
[00103]上に議論された実施形態は、物品が本物のサーモグラフィ蛍光体を含むことをシステムが検出するかどうかの決定に基づいて、システムが認証の決定を行うことを示す。他のシステムおよび方法の実施形態が、認証の決定を行う際に、追加の検討事項を使用することもできる。例えば、限定としてではなく、物品の別の実施形態は、１つもしくは複数の追加のセキュリティの特徴、ならびに／または１つもしくは複数の追加のサーモグラフィ蛍光体および／もしくは非サーモグラフィ蛍光体材料（例えば、１つまたは複数の「基準」蛍光体材料）を含むことができる。したがって、他のシステムの実施形態は、認証用に提示された物品が追加のセキュリティの特徴（複数可）および／または追加の蛍光体（複数可）を含むかどうかを決定するように試みることができる。物品が全ての期待されるセキュリティの特徴を含むことをシステムが決定すると、システムは、物品が本物であると決定することができる。逆に、物品が期待されるセキュリティの特徴のうちの１つまたは複数を含まないことをシステムが決定すると、システムは、物品が本物でないと決定することができる。
【００９９】
[00104]図５〜図７は、物品に組み込まれるサーモグラフィ蛍光体（および他の蛍光体）の、様々な実施形態の放出特性を図示するグラフを含む。例えば、図５は、いくつかの例示的な実施形態にしたがった、温度に対する、複数のサーモグラフィ蛍光体および他の（非サーモグラフィ）蛍光体試料の放出特性を示すグラフである。図５に描かれた結果を生成するため、様々なサーモグラフィ蛍光体および他の蛍光体試料が、紙製の手漉き物品基板上に印刷されるインク内に含められた。より具体的には、いくつかの実施形態にしたがった、インク基材および様々なＥｒ：ＹＩＧ試料を含むインク材料が作成された。加えて、比較するために、インク基材ならびにＥｒ：ＹＯＳ（イットリウム酸硫化物）試料、Ｃｒ：Ｅｒ：ＹＧＧ（イットリウムガリウムガーネット）試料、およびＥｒ：ＹＡＧ（イットリウムアルミニウムガーネット）試料を含む追加のインク材料が作成された。インク材料の各々は、紙製の手漉き物品基板の表面上に印刷された。
【０１００】
[00105]例えば、トレース５０１を生成するために使用された試料を作るために、（ＹＩＧの母体格子材料内に３２パーセントのＥｒを有する）Ｅｒ：ＹＩＧを含む第１のインク材料が作成された。トレース５０２を生成するために使用された試料を作るために、（ＹＩＧの母体格子材料内に１２パーセントのＥｒを有する）Ｅｒ：ＹＩＧを含む第２のインク材料が作成された。トレース５０３を生成するために使用された試料を作るために、（ＹＩＧの母体格子材料内に６パーセントのＥｒを有する）Ｅｒ：ＹＩＧを含む第３のインク材料が作成された。トレース５０４を生成するために使用された試料を作るために、（ＹＩＧの母体格子材料内に３パーセントのＥｒを有する）Ｅｒ：ＹＩＧを含む第４のインク材料が作成された。トレース５０５を生成するために使用された試料を作るために、（ＹＩＧの母体格子材料内に１パーセントのＥｒを有する）Ｅｒ：ＹＩＧを含む第５のインク材料が作成された。トレース５０６を生成するために使用された試料を作るために、（ＹＯＳの母体格子材料内に２０パーセントのＥｒを有する）Ｅｒ：ＹＯＳを含む第６のインク材料が作成された。トレース５０７を生成するために使用された試料を作るために、（ＹＧＧの母体格子材料内に２０パーセントのＣｒおよび３パーセントのＥｒを有する）Ｃｒ：Ｅｒ：ＹＧＧを含む第７のインク材料が作成された。最後に、トレース５０８を生成するために使用された試料を作るために、（ＹＡＧの母体格子材料内に３パーセントのＥｒを有する）Ｅｒ：ＹＡＧを含む第８のインク材料が作成された。
【０１０１】
[00106]試料５０１から試料５０５について、ＬＥＤが使用され、印刷された特徴を鉄吸収帯内で（例えば、約６３０ｎｍで）励起させた。試料５０６について、ＬＥＤが使用され、印刷された特徴をＥｒ吸収帯内で（例えば、約６６０ｎｍで）励起させた。試料５０７について、ＬＥＤが使用され、印刷された特徴をクロム吸収帯内で（例えば、約６３０ｎｍで）励起させた。最後に、試料５０８について、ＬＥＤが使用され、印刷された特徴をＥｒ吸収帯内で（例えば、約６６０ｎｍで）励起させた。サンプルの各々について、励起を停止した後、結果として得られる放出強度が、摂氏約０度から摂氏約５０度の範囲にわたって、摂氏５度の増分で認証システムにより検出された。より具体的には、試料の各々について、検出された放出は、約１４６０ｎｍと約１６６０ｎｍの間の（すなわち、エルビウム放出帯内の）放出を含んでいた。
【０１０２】
[00107]図５に示されるように、Ｅｒ：ＹＩＧ蛍光体（すなわち試料５０１〜試料５０５）は、高いサーモグラフィ特性を呈し、温度が増加するとエルビウム放出の強度が著しく減少した。別の言い方で言えば、温度が減少すると、エルビウム放出の強度が著しく増加した。したがって、Ｅｒ：ＹＩＧ蛍光体内のエルビウム放出の強度は、試料５０１〜試料５０５の温度に反比例した。逆に、Ｅｒ：ＹＯＳおよびＥｒ：ＹＡＧ蛍光体（すなわち、試料５０６および試料５０８）は、温度プロファイルに対し実質的に平坦な強度を呈した。最後に、Ｃｒ：Ｅｒ：ＹＧＧ蛍光体（すなわち、試料５０７）は、何らかのサーモグラフィ特性を呈し、温度が増加すると、エルビウム放出の強度がわずかに増加した（すなわち、Ｃｒ：Ｅｒ：ＹＧＧ蛍光体内のエルビウム放出の強度は、試料５０７の温度に直接比例した。）。しかし、Ｃｒ：Ｅｒ：ＹＧＧ蛍光体（すなわち、試料５０７）についての、温度−強度曲線の傾きは、Ｅｒ：ＹＩＧ蛍光体（すなわち、試料５０１〜試料５０５）についての、温度−強度曲線の傾きよりも、著しく小さい大きさを有する。したがって、Ｅｒ：ＹＩＧ蛍光体は、Ｃｒ：Ｅｒ：ＹＧＧ蛍光体よりもより容易に検出可能な場合がある（またはＥｒ：ＹＩＧ蛍光体が存在しないことは、より容易に明らかとなる場合がある）。
【０１０３】
[00108]さらなる説明として、図６は、例示的な実施形態にしたがった、温度に対するサーモグラフィ蛍光体試料のスペクトル放出特性を図示する。より具体的には、図６は、紙製の手漉き物品基板の表面上に印刷されたインク材料に含まれた、（ＹＩＧの母体格子材料内に３パーセントのＥｒを有する）Ｅｒ：ＹＩＧ試料の、複数の温度における、スペクトル放出特性を示す。トレース６０１は、物品基板が摂氏約３３．０度の温度であったときの、１４６０ｎｍから１６６０ｎｍに及ぶエルビウム放出帯内の放出の強度に対応する。トレース６０２は、物品基板が摂氏約２２．３度の温度であったときの、エルビウム放出帯内の放出の強度に対応する。最後に、トレース６０３は、物品基板が摂氏約１１．６度の温度であったときの、エルビウム放出帯内の放出の強度に対応する。繰り返して言うと、Ｅｒ：ＹＩＧ蛍光体試料は、高いサーモグラフィ特性を呈した。比較的高温における放出の強度（すなわち、トレース６０１）は、比較的低温における放出の強度（すなわち、トレース６０３）よりも著しく低い。
【０１０４】
[00109]図７は、いくつかの例示的な実施形態にしたがった、温度に対する複数のサーモグラフィ蛍光体試料の減衰時定数を示すグラフである。トレース７０１〜トレース７０８は、図５の対応するトレース５０１〜トレース５０８を生成するために使用されるものと同じ試料を使用して生成された。より具体的には、トレース７０１は、第１のインク材料内に、（ＹＩＧの母体格子材料内に３２パーセントのＥｒを有する）Ｅｒ：ＹＩＧを含む試料に対応する。トレース７０２は、第２のインク材料内に、（ＹＩＧの母体格子材料内に１２パーセントのＥｒを有する）Ｅｒ：ＹＩＧを含む試料に対応する。トレース７０３は、第３のインク材料内に、（ＹＩＧの母体格子材料内に６パーセントのＥｒを有する）Ｅｒ：ＹＩＧを含む試料に対応する。トレース７０４は、第４のインク材料内に、（ＹＩＧの母体格子材料内に３パーセントのＥｒを有する）Ｅｒ：ＹＩＧを含む試料に対応する。トレース７０５は、第５のインク材料内に、（ＹＩＧの母体格子材料内に１パーセントのＥｒを有する）Ｅｒ：ＹＩＧを含む試料に対応する。トレース７０６は、第６のインク材料内に、（ＹＯＳの母体格子材料内に２０パーセントのＥｒを有する）Ｅｒ：ＹＯＳを含む試料に対応する。トレース７０７は、第７のインク材料内に、（ＹＧＧの母体格子材料内に２０パーセントのＣｒおよび３パーセントのＥｒを有する）Ｃｒ：Ｅｒ：ＹＧＧを含む試料に対応する。最後に、トレース７０８は、第８のインク材料内に、（ＹＡＧの母体格子材料内に３パーセントのＥｒを有する）Ｅｒ：ＹＡＧを含む試料に対応する。
【０１０５】
[00110]試料７０１から試料７０５について、ＬＥＤが使用され、印刷された特徴を鉄吸収帯内で（例えば、約６３０ｎｍで）励起させた。試料７０６について、ＬＥＤが使用され、印刷された特徴をＥｒ吸収帯内で（例えば、約６６０ｎｍで）励起させた。試料７０７について、ＬＥＤが使用され、印刷された特徴をクロム吸収帯内で（例えば、約６３０ｎｍで）励起させた。最後に、試料７０８について、ＬＥＤが使用され、印刷された特徴をＥｒ吸収帯内で（例えば、約６６０ｎｍで）励起させた。サンプルの各々について、励起を停止した後、結果として得られる減衰時定数が、摂氏約０度から摂氏約５０度の範囲にわたって、摂氏５度の増分で認証システムにより計算された。より具体的には、各減衰時定数は、温度の各々における試料の各々について、約１４６０ｎｍと約１６６０ｎｍの間の（すなわち、エルビウム放出帯内の）検出された放出の強度の、複数の時間増分測定に基づいて計算された。
【０１０６】
[00111]図７に示されるように、Ｅｒ：ＹＩＧ蛍光体（すなわち試料７０１〜試料７０５）は、高いサーモグラフィ特性を呈し、温度が増加するとエルビウム放出の減衰時定数が著しく減少した（または、温度が減少するとエルビウム放出の減衰時定数が著しく増加した）。したがって、Ｅｒ：ＹＩＧ蛍光体内のエルビウム放出の減衰時定数は、試料７０１〜試料７０５の温度に反比例した。逆に、Ｅｒ：ＹＯＳ、Ｃｒ：Ｅｒ：ＹＧＧ、およびＥｒ：ＹＡＧ蛍光体（すなわち、試料７０６から試料７０８）は、温度プロファイルに対し実質的に平坦な減衰時定数を呈した。
【０１０７】
[00112]少なくとも１つの例示的な実施形態が上記の詳細な説明に提示されてきたが、多数の変形実施形態が存在することを理解されたい。１つの例示的な実施形態または複数の例示的な実施形態は、単なる例であり、本発明の主題の範囲、適用性、または構成を何らかのやり方で限定する意図がないことも理解されたい。むしろ、上記の詳細な記述は、本発明の例示的な実施形態を実装するための便利なロードマップを当業者に提供することになり、添付の請求項およびそれらの法的な等価物に記載されるような、本発明の範囲から逸脱することなく、例示的な実施形態に記載された要素の機能および配置に、様々な変更がなされうることが理解される。
【図１】
2015505111.tif 000003
【図２】
2015505111.tif 000004
【図３】
2015505111.tif 000005
【図４】
2015505111.tif 000006
【図５】
2015505111.tif 000007
【図６】
2015505111.tif 000008
【図７】
2015505111.tif 000009
【国際調査報告】
2015505111.tif 000010
2015505111.tif 000011